(57)【特許請求の範囲】
【請求項１】
電気絶縁性の合成樹脂材料から成るハウジングに電気シールド機能を有する導電金属製のシールド部材をインサート成形し、電気絶縁性の合成樹脂材料から成る支持体に接続端子をインサート成形して端子アセンブリを形成し、前記シールド部材の筒状部に前記端子アセンブリの支持体を圧入したことを特徴とする電源コネクタ。
【請求項２】
前記シールド部材は接続端子ごとに前記筒状体により包囲した請求項１に記載の電源コネクタ。
【請求項３】
前記シールド部材は複数の前記筒状部を板状部により保持して成る請求項１に記載の電源コネクタ。
【発明の詳細な説明】
【０００１】
【発明の属する技術分野】
本発明は、大電流が流れる例えばインバータユニット等の入出力端子に使用可能であり、これらの入出力端子を電気的にシールドして電気的ノイズが外部に影響することを防止する電源コネクタに関するものである。
【０００２】
【従来の技術】
例えば、インバータユニットは入力端子、リレー、コンデンサ、プリント回路基板、出力端子等から構成されており、入力端子に入力した交流電流を出力端子から可変電圧又は可変周波数の交流電流として出力するようになっている。
【０００３】
【発明が解決しようとする課題】
しかしながら、このようなインバータユニットでは入力端子や出力端子には大電流が流れるので、これらの入力端子や出力端子で発生した電流ノイズが外部に洩出し、周辺の電気機器に悪影響を及ぼすという問題がある。
【０００４】
本発明の目的は、上述の問題点を解消し、接続端子を容易にシールドし得る電源コネクタを提供することにある。
【０００５】
【課題を解決するための手段】
上記目的を達成するための本発明に係る電源コネクタは、電気絶縁性の合成樹脂材料から成るハウジングに電気シールド機能を有する導電金属製のシールド部材をインサート成形し、電気絶縁性の合成樹脂材料から成る支持体に接続端子をインサート成形して端子アセンブリを形成し、前記シールド部材の筒状部に前記端子アセンブリの支持体を圧入したことを特徴とする。
【０００６】
【発明の実施の形態】
本発明を図示の実施の形態に基づいて詳細に説明する。
図１は実施の形態の正面図、図２は背面図、図３は部分水平断面図、図４は図１のＡ−Ａ線に沿って切断した断面図を示している。この実施の形態に係る大電流用シールドコネクタは、例えば入力した交流電流を可変電圧又は可変周波数の交流電流として出力する後述のインバータユニットに使用可能とされ、図示しない相手側接続端子と接続する複数の端子アセンブリ１と、これらの端子アセンブリ１を包囲して電気的にシールドするシールド部材２と、このシールド部材２を保持したハウジング３とから構成されている。
【０００７】
図５の斜視図にも示すように、端子アセンブリ１は導電金属材料から成る平刃状の接続端子４と、この接続端子４を一体に支持した合成樹脂等の電気絶縁性材料から成る円柱状の支持体５とから構成され、接続端子４は支持体５にインサート成形されている。接続端子４の後部には別体の導電部材を嵌合するための円形の挿通孔４ａが形成され、支持体５の外周面には環状の取付溝５ａが形成されている。
【０００８】
シールド部材２は電磁遮蔽性を有する導電金属製とされ、図６の部分斜視図にも示すように、端子アセンブリ１の支持体５が圧入される例えば２個と３個の組から成る５個の筒状部６と、これらの筒状部６の後端部を同一平面内に支持する板状部７とから構成されている。右側の２つの筒状部６には入力端子としての端子アセンブリ１が圧入され、左側の３個の筒状部６には出力端子としての端子アセンブリ１が圧入されるようになっている。
【０００９】
ハウジング３は電気絶縁性を有する合成樹脂材料から成形されており、ハウジング３の前部には図示しない相手側ハウジングが結合される筒状の第１の結合部１１と第２の結合部１２とが設けられ、ハウジング３の外周面の後部にはフランジ１３が設けられている。
【００１０】
第１、第２の結合部１１、１２を含むハウジング３の内部には、相手側接続端子の進入を受ける前方孔部１４と、シールド部材２の筒状部６が個々に配置された中間孔部１５と、端子アセンブリ１の支持体５が個々に圧入された後方孔部１６とが前方から順次に形成され、シールド部材２の板状部７の周縁はフランジ１３内に埋設されている。
【００１１】
なお、第１の結合部１１に結合される相手側ハウジングには、例えば交流電源に接続された相手側接続端子が収容され、第２の結合部１２に結合される相手側ハウジングには、インバータユニットにより変換された可変電圧又は可変周波数の交流電流を必要とする電気機器に接続された相手側接続端子が収容されている。
【００１２】
このような電源コネクタは、図７に示すようなインバータユニットに使用することが可能とされている。なお、図７においては、シールド部材２、ハウジング３の図示は省略している。インバータユニットは入力端子としての２つの端子アセンブリ１’、プリント回路基板２１、リレー２２、コンデンサ２３、出力端子としての３つの端子アセンブリ１”、図示しないユニットハウジング等から構成されている。端子アセンブリ１’、１”はその支持体５の取付溝５ａがプリント回路基板２１上に設けられた取付部材２５に嵌合することにより固定され、接続端子４は導電部材２５を介してリレー２２にそれぞれ接続され、端子アセンブリ１”の接続端子４は導電部材２６を介してプリント回路基板２１に電気的に接続されている。そして、これらの要素２１〜２６はユニットハウジングに収容され、インバータユニットが形成される。
【００１３】
このようなインバータユニットのハウジング３の第１、第２の結合部１１、１２に、相手側のハウジングが結合されると、相手側ハウジングに同様に設けられた円筒状のシールド部材がシールド部材２の内側又は外側に嵌合されると共に、接続端子同士が接続される。接続端子４に大電流が流れると、接続端子４の周囲に電磁界が発生するが、シールド部材２と相手側ハウジングのシールド部材は電磁界を遮蔽して電流ノイズが周辺機器に及ぶことを防止する。
【００１４】
このように、実施の形態に係る電源コネクタは、端子アセンブリ１、１’、１’’の支持体５をハウジング３にインサート成形したシールド部材２の筒状部６に圧入することにより、接続端子４を電磁的に容易にシールド可能となる。
【００１５】
なお、この実施の形態では、シールド部材２による筒状部６は接続端子４ごとに設けているが、この実施の形態で云えば、２個の組に対して１個の筒状部、３個の接続端子４の組に対して１個の筒状部を形成してもよい。また、この電源コネクタをインバータユニットに使用することついて説明したが、その他の電気機器に適用できることは云うまでもない。
【００１６】
【発明の効果】
以上説明したように本発明に係る電源コネクタは、接続端子を電気絶縁性の合成樹脂材料の支持体にインサート成形して成る端子アセンブリと、この端子アセンブリの支持体を嵌合する筒状部を有して接続端子を電気的にシールドする導電金属製のシールド部材と、このシールド部材を電気絶縁性の合成樹脂材料にインサート成形して成るハウジングとを有するので、端子アセンブリの支持部をシールド部材の筒状部に嵌合することにより、大電流用の接続端子を容易にシールドできる。
【図面の簡単な説明】
【図１】実施の形態の正面図である。
【図２】背面図である。
【図３】部分水平断面図である。
【図４】図１のＡーＡ線に沿った断面図である。
【図５】端子アセンブリの斜視図である。
【図６】シールド部材の部分斜視図である。
【図７】端子アセンブリをインバータユニットに取り付けた状態の斜視図である。
【符号の説明】
１、１’、１”  端子アセンブリ
２  シールド部材
３  ハウジング
４  接続端子
５  支持体
６  筒状部
７  板状部
１１  第１の結合部
１２  第２の結合部
【図１】
0004405047.tif 000002
【図２】
0004405047.tif 000003
【図３】
0004405047.tif 000004
【図４】
0004405047.tif 000005
【図５】
0004405047.tif 000006
【図６】
0004405047.tif 000007
【図７】
0004405047.tif 000008